(57)【要約】【課題】  無線通信電話機を有線電話網に接続可能とする。【解決手段】  無線通信電話機１０は、自無線電話番号を有線交換機４０に送信する。有線交換機４０は、該番号を回線の収容位置識別子に対応して収容テーブル５０に記憶する。サービス制御装置１１０は、有線交換機４０からの情報に基づく有線電話番号と無線電話番号とを対応して電話番号変換テーブル１２０に記憶する。無線通信電話機１０からの発呼を検出した有線交換機４０は、収容位置識別子に基づき収容テーブル５０を参照し、対応する無線電話番号を取得し、該番号を発信元電話番号として呼接続する。また、無線通信電話機１０への着呼の場合、発呼を検出した有線又は無線交換機が、電話番号変換テーブル１２０を参照して着呼先の無線電話番号に対応する有線電話番号を取得し、該有線電話番号に従い無線通信電話機１０と呼接続する。【選択図】  図１
2007028044.tif 000002
【特許請求の範囲】
【請求項１】
有線電話網に接続するインタフェースを有する無線通信電話機と、
前記無線通信電話機と接続された回線を識別する収容位置識別子と、収容した前記無線通信電話機の無線電話番号とが対応して記憶される収容テーブルを有し、回線に接続された前記無線通信電話機と所望の無線又は有線電話機とを、有線電話網を介して呼接続するための、有線電話網における複数の交換機と、
前記交換機の回線に接続された前記無線通信電話機の無線電話番号と、該回線に予め割り当てられた有線電話番号とが対応して記憶される電話番号変換テーブルを有し、前記交換機及び無線電話網における交換機と通信するサービス制御装置と、
を備え、
前記無線通信電話機は、前記インタフェースを介して有線電話網に接続されたことを検出すると、自無線電話番号を、前記インタフェースを介して前記交換機に送信し、
前記交換機は、前記無線通信電話機が接続された回線を介して無線電話番号を受信し、受信された無線電話番号を該回線の収容位置識別子に対応して前記収容テーブルに記憶し、
前記交換機は、無線電話番号と、自信号局コードと、収容位置識別子とを前記サービス制御装置に送信し、
前記サービス制御装置は、受信された信号局コードと収容位置識別子に基づき有線電話番号を特定し、該有線電話番号と受信された無線電話番号とを対応して前記電話番号変換テーブルに記憶し、
（１）前記回線を介して前記無線通信電話機からの発呼を検出した前記交換機は、該回線の収容位置識別子に基づき前記収容テーブルを参照して、対応する無線電話番号を取得し、取得された無線電話番号を発信元電話番号として呼接続し、及び、（２）前記無線通信電話機への着呼の場合、発呼を検出した有線電話網における交換機又は無線電話網における交換機が、前記サービス制御装置の電話番号変換テーブルを参照して着呼先の無線電話番号に対応する有線電話番号を取得し、該有線電話番号に従い前記無線通信電話機と呼接続する電話サービス制御システム。
【請求項２】
前記サービス制御装置は、発信元電話番号と、接続先電話番号と、通話時間又は通話料金を特定するための情報とが対応して記憶される通話履歴テーブル
をさらに有し、
前記交換機は、自装置から発信した呼について、取得された無線電話番号が用いられた発信元電話番号と、接続先電話番号と、通話時間又は通話料金を特定するための情報とを前記サービス制御装置に送信し、
前記サービス制御装置は、前記交換機から受信した発信元電話番号と、接続先電話番号と、通話時間又は通話料金を特定するための情報とを通話履歴テーブルに記憶する請求項１に記載の電話サービス制御システム。
【請求項３】
前記通信履歴テーブルに記憶された発信元電話番号に対して課金されることで、無線通信電話機が接続された回線にではなく、該無線通信電話機そのものの所有者に対する課金が実現される請求項２に記載の電話サービス制御システム。
【請求項４】
前記交換機が、回線に接続された前記無線通信電話機が脱着されたことを検出すると、前記収容テーブルから該回線の収容位置識別子に対応する無線電話番号を取得して、該無線電話番号を含む変換テーブル削除要求を前記サービス制御装置へ送信し、
前記交換機は、前記収容テーブルの、該回線の収容位置識別子に対応する無線電話番号を削除し、
前記サービス制御装置は変換テーブル削除要求を受信し、前記電話番号変換テーブルの、該要求に含まれる無線電話番号と、対応する有線電話番号とを削除する請求項１乃至３のいずれかに記載の電話サービス制御システム。
【請求項５】
前記回線に接続された前記無線電話機からの発呼を検出した前記交換機は、無線通信電話機から受信した接続先電話番号が、有線電話番号か無線電話番号かを判断し、
（１−１）有線電話番号と判断された場合、前記交換機は、有線電話機から有線電話機への予め定められた発呼処理を実行し、及び、
（１−２）無線電話番号と判断された場合、
前記交換機は、前記サービス制御装置に、接続先の無線電話番号を含む変換テーブル検索要求を送信し、
前記サービス制御装置は、該検索要求を受信し、該要求に含まれる無線電話番号が前記電話番号変換テーブルに登録されているか検索して、登録有を示す情報と登録されている該有線電話番号とを前記交換機に送信し、又は、登録無を示す情報を前記交換機に送信し、
前記交換機は、登録有示す情報と登録されている該有線電話番号とを受信すると、接続先の電話番号を、受信された該有線電話番号に置き換えて有線電話機から有線電話機への予め定められた発呼処理を実行し、及び、登録無を示す情報を受信すると、前記無線通信電話機から受信した接続先電話番号を用いて、有線電話機から無線電話機への予め定められた発呼処理を実行する
請求項１乃至４のいずれかに記載の電話サービス制御システム。
【請求項６】
前記無線通信電話機への発呼を検出した有線電話網における交換機又は無線電話網における交換機は、前記無線通信電話機の無線電話番号を含む電話番号検索要求を前記サービス制御装置に送信し、
前記サービス制御装置は、電話番号検索要求に従い、前記電話番号変換テーブルを参照して、該要求に含まれる無線電話番号に対応する有線電話番号を取得し、取得された有線電話番号を前記有線電話網における交換機又は前記無線電話網における交換機に返信し、
前記有線電話網における交換機又は前記無線電話網における交換機は、有線電話番号を受信して、接続先の無線電話番号を受信された有線電話番号に置き換えて、有線電話機への予め定められた呼接続処理を実行することで、前記無線通信電話機に着呼する請求項１乃至５のいずれかに記載の電話サービス制御システム。
【請求項７】
前記無線通信電話機は、前記物理インタフェースを介して有線電話網に接続されたことを検出すると、無線の受信回路を動作させなくし、
前記無線通信電話機への発呼を検出した前記有線電話網における交換機又は前記無線電話網における交換機は、前記無線通信電話機の無線電話番号を用いた無線電話機への呼接続が成功しないと、前記無線通信電話機の無線電話番号を含む電話番号検索要求を前記サービス制御装置に送信する請求項６に記載の電話サービス制御システム。
【請求項８】
前記収容テーブルは、回線の収容位置識別子に対応して、該回線に接続された電話機が無線通信電話機か否かを示すフラグ情報をさらに含み、
前記交換機は、前記無線通信電話機が接続された回線を介して無線電話番号を受信すると、該回線の収容位置識別子に対応するフラグ情報をセットし、
前記回線を介して発呼を検出すると、前記収容テーブルを参照し、該回線の収容位置識別子に対応するフラグ情報がセットされていることにより前記無線通信電話機からの発呼と判別する請求項１乃至７のいずれかに記載の電話サービス制御システム。
【請求項９】
無線通信電話機は、インタフェースを介して有線電話網に接続されたことを検出すると、自無線電話番号を、該インタフェースを介して有線電話網における交換機に送信し、
交換機は、無線通信電話機が接続された回線を介して無線電話番号を受信し、前記無線通信電話機と接続された回線を識別する収容位置識別子と、収容した前記無線通信電話機の無線電話番号とが対応して記憶される収容テーブルに対して、受信された無線電話番号を、接続された回線の収容位置識別子に対応して記憶し、
交換機は、無線電話番号と、自信号局コードと、収容位置識別子とをサービス制御装置に送信し、
前記サービス制御装置は、受信された信号局コードと収容位置識別子に基づき有線電話番号を特定し、該有線電話番号と受信された無線電話番号とを対応して電話番号変換テーブルに記憶し、
（１）回線を介して無線通信電話機からの発呼を検出した交換機は、該回線の収容位置識別子に基づき収容テーブルを参照して、対応する無線電話番号を取得し、取得された無線電話番号を発信元電話番号として呼接続し、及び、（２）無線通信電話機への着呼の場合、発呼を検出した有線電話網における交換機又は無線電話網における交換機が、サービス制御装置の電話番号変換テーブルを参照して着呼先の無線電話番号に対応する有線電話番号を取得し、該有線電話番号に従い無線通信電話機と呼接続する電話サービス制御方法。
【発明の詳細な説明】
【技術分野】
【０００１】
本発明は、電話サービス制御システム及び電話サービス制御方法に係り、特に、無線通信電話機を有線電話網にケーブル接続することで、有線電話網における通話接続サービスの提供を実現するシステム・方法に関し、更に詳しくは、無線通信電話機と有線電話網交換機との間の制御機能や、複数電話網間における呼接続制御機能を有する高機能電話接続サービスを提供する電話サービス制御システム及び電話サービス制御方法に関する。
【背景技術】
【０００２】
携帯電話機やＰＨＳ（Ｐｅｒｓｏｎａｌ  Ｈａｎｄｙｐｈｏｎｅ  Ｓｙｓｔｅｍ）等の無線通信電話機は、無線通信電話網内の基地局から送られる電波が届く範囲内、すなわち通話エリア内であれば、任意の場所にて任意の時間に通話を可能とする装置である。無線通信電話機は、ポータビリティが高いゆえ個人普及率が高いが、例えば、電波の届かない場所では通話ができない、電池切れにより通話ができない、等といった使い勝手の悪い面もある。このような課題を解決するひとつのアプローチとして、無線通信電話機を有線電話網にケーブル接続して、通信の接続性を確保する移動体電話機が開示されている（例えば、特許文献１参照）。特許文献１においては、構内交換システムにおいて、移動体電話機が電池切れ状態になった場合に、有線回線と接続して給電を受けると共に、該移動体電話機の位置情報を有線電話網を介して登録することによって、発着信を可能とすることが記載されている。また、有線電話回線との接続機能を有する無線通信電話機が開示されている（例えば、特許文献２参照）。
【特許文献１】特開平１１−２４３４４０号公報
【特許文献２】特開２００３−２８９３６０号公報
【発明の開示】
【発明が解決しようとする課題】
【０００３】
前述の通り、無線通信電話機は個人普及率が高いが、無線基地局のサービスエリア網羅性から、決して接続性が高いとは言い難い。そのため、個人所有の無線通信電話機の接続性を高めるための施策のひとつとして、既に広域に渡って張り巡らされている固定電話回線に接続するサービスモデルが考えられる。固定電話回線においては、無線通信電話機の普及に伴って、例えば公衆電話が減少するなど、縮退の方向をたどりつつある。しかし、これらの有線電話網の一部として、これまでの公衆電話機に代って例えば公衆電話アダプタのような電話回線インタフェースを設置し、この電話回線インタフェースに無線通信電話機を接続して、有線電話網を介して通話することができれば、無線通信電話機所有者にとっては高い通話接続性を確保できると共に、固定電話サービス事業者にとっては既存設備の有効活用ならびに新しいサービスを提供することによる新たな収益を得ることができる。
【０００４】
このようなサービスモデルの構築における第一の課題は、既存設備の活用という観点から、既存装置、特に末端の装置であるほどに変更をなくすか、あるいは簡単な変更に留められるような制御方法を実現することである。
【０００５】
また、無線通信電話機を有線電話網に論理的に繋ぎ込むにあたって、該有線電話網は、非常に広域なネットワークであること及び多数の他電話サービス事業者網と相互接続することが前提となることから、通話接続に必要な、例えば電話番号などの情報は莫大な量となる。従って、特許文献１のように交換機単位でデータベースを保有するような構成では、不経済かつ処理能力の低下を招く可能性があり、広域網への適用は現実的ではない。また、無線通信電話機が移動して他の交換機に接続された場合についてサポートされていない。従って、前記サービスモデルが広域網であることから、既存設備を活用しつつ、効率的な機能配備を行うことで、現実的なネットワークモデルを構成することが第二の課題となる。
【０００６】
上述の特許文献２には、例えば、携帯電話機のモジュラープラグをモジュラージャックに挿入して固定電話機と同様に有線通信できることが記載されているが、発信元の電話番号としては固定電話機（又は回線）に割り当てられた番号を用いることになり、例えば携帯電話機への課金、発信者番号表示ができない。
【０００７】
本発明は、以上の点に鑑み、無線通信電話機の所有者は、所有する無線通信電話機を有線電話網に接続し、高品質の電話サービスの提供を受けることが可能な電話サービス制御システム及び電話サービス制御方法を提供することを目的とする。また、本発明は、無線通信電話機は有線通信電話機に比較して通話料金が割高であることから、電話利用者においてはニーズに応じて、より低価格の電話サービスが選択できるという自由度が広がるシステム及び方法を提供することを目的とする。更に、本発明は、無線通信電話機の普及に伴って１人の人間が所有する電話番号が複数に渡るような事象（自宅の固定電話機、個人の携帯電話機、業務用の携帯電話機の併用など）により管理の複雑化が発生しているが、本発明により電話の一本化を図ることを目的とする。また、本発明は、有線電話網に接続された無線電話機からの発信について、無線電話機への課金を実現することを目的のひとつとする。
【課題を解決するための手段】
【０００８】
以上のような課題を解決するため、まず、有線電話網に接続する物理インタフェースを有する無線通信電話機に、有線電話網内にあり該無線通信電話機と接続する交換機などの呼接続制御装置に対して、自電話番号を自動的に通知する機能を設ける。また、有線電話網内にあり該無線通信電話機と接続する交換機などの呼接続制御装置において、該無線通信電話機から通知される電話番号を検出して、該物理回線に該無線通信電話番号を割り付けて、既存各種電話サービスの提供を可能とする機能を設ける。
【０００９】
上述のような機能を無線通信電話機や交換機に設けただけでは、該無線通信電話機に対しての他の電話機からの発信があった場合に、該交換機の局内接続によるものを除いては、着信ができない。この解決策としては、交換機の上位装置として、無線通信電話機の収容位置を記憶する機能を有するサービス制御装置を共通線信号網に設ける。無線通信電話機を収容した交換機は、サービス制御装置に対して自装置番号に該当する信号局コードと収容した無線通信電話機の電話番号を通知する機能を設ける。サービス制御装置は、無線通信電話機を収容した交換機から通知される信号局コードと無線通信電話番号とを受信し、記憶して、該無線通信電話機に向けての発信が発生した場合に、発着信電話機間を構成する各交換機やコールエージェントなどへの接続制御を行う通信機能を設ける。更にサービス制御装置は、該無線通信電話機が関わる通話履歴に関する情報を格納し、該無線通信電話機が接続する物理回線にではなく、該無線通信電話機そのものの所有者に対する課金を実施する。
【００１０】
尚、発信側無線通信電話機が着信側無線通信電話機と同じ無線電話サービス事業者の加入者である場合、着信側無線通信電話機が本来加入している無線電話サービス事業者が保有する網とは異なる有線通信電話サービス事業者の保有する網に接続している状態では、無線通信電話サービス事業者の網は同網内以外の網に着信側電話機の所在を探すことはしないため、上述の構成だけでは呼接続は成立しない。そこで、無線通信電話サービス網においては、ある無線通信電話機への着信が発生した場合に該無線通信電話機が有線電話網への接続サービスの提供を受けていて、無線通信による接続ができない場合に、サービス制御装置に対する呼接続の制御要求を通知する機能を設ける。
【００１１】
また、無線通信電話機の有線電話網接続サービスにおいて、無線通信電話機が有線電話網から切り離された場合においては、交換機が回線の物理的な切断を検出して該回線に対して付与した無線通信電話番号を削除すると共に、サービス制御装置に格納されている交換機装置番号（信号局コード）と無線通信電話番号との削除要求通知を送出する機能を設ける。無線通信電話機の有線電話網接続サービスにおいて、無線通信電話機が有線電話網から切り離された場合においては、サービス制御装置は、交換機からの削除要求通知を受信する機能を設けると共に、該交換機と該無線通信電話番号とをデータベースから削除する機能を設ける。
【００１２】
本システムは、例えば、有線電話網に接続する物理インタフェースを有する無線通信電話機に、有線電話網内にあり該無線通信電話機と接続する交換機などの呼接続制御装置に対して、自電話番号を自動的に通知する機能を持つ該無線電話機と、有線電話網内にあり該無線通信電話機と接続する交換機などの呼接続制御装置において、該無線通信電話から通知される電話番号を検出して、該物理回線に該無線通信電話番号を割り付けて、既存各種電話サービスの提供を可能とする機能を有する。
【００１３】
サービス制御装置は、例えば、無線通信電話機の有線電話網における収容位置を記憶する機能を有し、共通線信号網に接続する。また、サービス制御装置は、例えば、無線通信電話機を収容した交換機から通知する信号局コードと無線通信電話番号を受信し、記憶し、該無線通信電話番号に向けての発信が発生した場合に、発着信電話機間を構成する各交換機やコールエージェントなどへの接続制御を行う通信機能を持つ。サービス制御装置は、例えば、該無線通信電話機が関わる通話履歴に関する情報を格納し、該無線通信電話機が接続する物理回線にではなく、該無線通信電話機そのものの所有者に対する課金を実施する。
【００１４】
有線交換機は、例えば、サービス制御装置に対して自信号局コードと、収容した無線電話番号とを通知する機能を有する。無線交換機は、例えば、無線通信電話機への着信が発生した場合に該無線通信電話機が有線電話網への接続サービスの提供を受けている状態により無線通信による接続ができない場合に、サービス制御装置に対する呼接続の制御要求を通知する機能を有する。
【００１５】
また、有線交換機は、例えば、無線通信電話機の有線電話網接続サービスにおいて、無線通信電話機が有線電話網から切り離された場合においては、交換機が回線の物理的な切断を検出して該回線に対して付与した無線通信電話番号を削除すると共に、サービス制御装置に格納されている信号局コードと無線通信電話番号の削除要求通知を送出する機能を有する。サービス制御装置は、例えば、無線通信電話機の有線電話網接続サービスにおいて、無線通信電話機が有線電話網から切り離された場合においては、交換機からの削除要求通知を受信する機能を設けると共に、該交換機と該無線通信電話番号をデータベースから削除する機能を有する。
【００１６】
本発明の第１の解決手段によると、
有線電話網に接続するインタフェースを有する無線通信電話機と、
前記無線通信電話機と接続された回線を識別する収容位置識別子と、収容した前記無線通信電話機の無線電話番号とが対応して記憶される収容テーブルを有し、回線に接続された前記無線通信電話機と所望の無線又は有線電話機とを、有線電話網を介して呼接続するための、有線電話網における複数の交換機と、
前記交換機の回線に接続された前記無線通信電話機の無線電話番号と、該回線に予め割り当てられた有線電話番号とが対応して記憶される電話番号変換テーブルを有し、前記交換機及び無線電話網における交換機と通信するサービス制御装置と、
を備え、
前記無線通信電話機は、前記インタフェースを介して有線電話網に接続されたことを検出すると、自無線電話番号を、前記インタフェースを介して前記交換機に送信し、
前記交換機は、前記無線通信電話機が接続された回線を介して無線電話番号を受信し、受信された無線電話番号を該回線の収容位置識別子に対応して前記収容テーブルに記憶し、
前記交換機は、無線電話番号と、自信号局コードと、収容位置識別子とを前記サービス制御装置に送信し、
前記サービス制御装置は、受信された信号局コードと収容位置識別子に基づき有線電話番号を特定し、該有線電話番号と受信された無線電話番号とを対応して前記電話番号変換テーブルに記憶し、
（１）前記回線を介して前記無線通信電話機からの発呼を検出した前記交換機は、該回線の収容位置識別子に基づき前記収容テーブルを参照して、対応する無線電話番号を取得し、取得された無線電話番号を発信元電話番号として呼接続し、及び、（２）前記無線通信電話機への着呼の場合、発呼を検出した有線電話網における交換機又は無線電話網における交換機が、前記サービス制御装置の電話番号変換テーブルを参照して着呼先の無線電話番号に対応する有線電話番号を取得し、該有線電話番号に従い前記無線通信電話機と呼接続する電話サービス制御システムが提供される。
【００１７】
本発明の第２の解決手段によると、
無線通信電話機は、インタフェースを介して有線電話網に接続されたことを検出すると、自無線電話番号を、該インタフェースを介して有線電話網における交換機に送信し、
交換機は、無線通信電話機が接続された回線を介して無線電話番号を受信し、前記無線通信電話機と接続された回線を識別する収容位置識別子と、収容した前記無線通信電話機の無線電話番号とが対応して記憶される収容テーブルに対して、受信された無線電話番号を、接続された回線の収容位置識別子に対応して記憶し、
交換機は、無線電話番号と、自信号局コードと、収容位置識別子とをサービス制御装置に送信し、
前記サービス制御装置は、受信された信号局コードと収容位置識別子に基づき有線電話番号を特定し、該有線電話番号と受信された無線電話番号とを対応して電話番号変換テーブルに記憶し、
（１）回線を介して無線通信電話機からの発呼を検出した交換機は、該回線の収容位置識別子に基づき収容テーブルを参照して、対応する無線電話番号を取得し、取得された無線電話番号を発信元電話番号として呼接続し、及び、（２）無線通信電話機への着呼の場合、発呼を検出した有線電話網における交換機又は無線電話網における交換機が、サービス制御装置の電話番号変換テーブルを参照して着呼先の無線電話番号に対応する有線電話番号を取得し、該有線電話番号に従い無線通信電話機と呼接続する電話サービス制御方法が提供される。
【発明の効果】
【００１８】
本発明によると、無線通信電話機の所有者は、所有する無線通信電話機を有線電話網に接続し、高品質の電話サービスの提供を受けることが可能となる。また、本発明によると、無線通信電話機は有線通信電話機に比較して通話料金が割高であることから、電話利用者においてはニーズに応じて、より低価格の電話サービスが選択できるという自由度が広がる。更に、本発明によると、無線通信電話機の普及に伴って１人の人間が所有する電話番号が複数に渡るような事象（自宅の固定電話機、個人の携帯電話機、業務用の携帯電話機の併用など）により管理の複雑化が発生しているが、本発明により電話の一本化を図ることも可能である。また、本発明は、有線電話網に接続された無線電話機からの発信について、無線電話機への課金を実現することを目的のひとつとする。
【発明を実施するための最良の形態】
【００１９】
本発明を実施するための最良の形態を図１〜１３を参照して説明する。
図１は、本実施の形態における高機能電話網の概略を示す図である。図１に示された無線通信電話機を有線電話網に収容する高機能電話網は、例えば、無線通信電話機１０、１１、１２と、有線電話機２０、２１と、接続ケーブル３０、３１と、有線交換機（有線電話網における交換機、以下有線交換機と記す）４０、４１と、無線交換機（無線電話網における交換機、以下無線交換機と記す）６０と、基地局７０と、位置情報データベース１３０と、有線電話網８０と、無線電話網９０と、ゲートウェイ交換機（ＧＷ）１５０と、共通線信号網１００と、サービス制御装置１１０とを備える。
位置情報データベース１３０は、例えば、無線通信電話機の位置情報を管理するデータベースである。例えば、従来と同様のものを用いてもよい。
【００２０】
有線交換機４０は、図２に示す無線通信電話機収容テーブル５０と、タイマ５２と、タイマ５２のスタート・ストップ等を制御するコントローラ５３を備える。無線通信電話機収容テーブル５０は、接続ケーブル３０を介して接続する電話機１０の有線交換機４０における収容位置（識別子）と、収容状態を示す無線電話収容フラグ情報と、収容した無線通信電話機１０の無線電話番号とを保持する。収容位置は、例えば、接続ケーブル３０が接続されるインタフェースを識別するための識別子を用いることができる。また、無線電話収容フラグは、例えば、収容位置のインタフェースが無線電話機を収容していればフラグを立て（１とする）、収容していなければフラグを立てない（０とする）ことができる。
【００２１】
サービス制御装置１１０は、図３に示す電話番号変換テーブル１２０を備え、有線交換機４０に収容した無線通信電話機１０の無線電話番号と、有線交換機４０の収容位置に予め割り付けられた有線電話番号とを保持する。また、サービス制御装置１１０は、図４に示す無線通信電話機通話履歴データベース１４０を備え、有線電話機４０に収容した無線通信電話機１０から発信した通話情報の履歴として、発信元電話番号と、接続先電話番号と、通話開始日時と、通話終了日時とを保持する。さらに、通話時間、通話料金（課金情報）等を記憶してもよいし、通話時間、通話料金を特定するための適宜の情報が記憶されてもよい。
【００２２】
図５は、無線通信電話機１０を接続ケーブル３０に接続した際の無線通信電話機１０を有線交換機４０と、サービス制御装置１１０とに登録するシーケンスを示した図である。図７は、無線通信電話機１０を有線交換機４０に登録して収容する際の有線交換機４０の制御フローと、無線通信電話機１０が登録された後の接続ケーブル３０との接続状態を確認する際の有線交換機４０の制御フローと、無線通信電話機１０が発呼する際の発呼処理を起動するまでの制御フローとを示した図である。図８は、無線通信電話機１０をサービス制御装置に登録する際のサービス制御装置１１０の制御フローを示した図である。次に、図５、７、８を参照して無線通信電話機１０を有線交換機４０と、サービス制御装置１１０とに登録する手順を説明する。
【００２３】
まず、有線電話回線との接続機能を有する無線通信電話機１０が、接続ケーブル３０に接続される（手順Ｓ５００）。
ここで有線電話回線との接続機能を有する無線通信電話機は、例えば、特許文献２に記載された様な無線通信電話機であり、有線電話回線と接続可能な機能を備える適宜のものを用いることができる。但し、無線通信電話機１０は図５の有線電話回線接続手順を実行するプログラムを予め格納し実行出来るものとする。また、接続ケーブル３０は無線通信電話機を接続するために専用に用意されたケーブルであり、ケーブル自体は一般的な有線電話機と接続可能なモジュラープラグを備えたモジュラーケーブルを用いることができる。また、一例として接続ケーブル側には有線電話回線に接続する為の機能と、無線電話機との接続手段とを備え、無線電話機側には接続ケーブルと接続する単純な手段を備えたものとしても良い。
【００２４】
無線通信電話機１０は、ケーブル接続により有線交換機より給電された（手順Ｓ５０１）ことを検出すると、発呼（オフフック）状態となる（手順Ｓ５０２）。また、無線通信電話機１０は、無線の受信回路を機能させなくする。有線交換機４０は発呼を検出する（図７：手順Ｓ７００）と、加入者側（無線通信電話機側）へダイヤルトーン音（以下ＤＴ音）を送出する（手順Ｓ５０３、Ｓ７０１）。また、加入者側からプッシュボタン音（以下ＰＢ音）を受信可能とするためにＰＢ受信機能（ＰＢＲ）を起動する（手順Ｓ７０３）。無線通信電話機１０は有線交換機４０からのＤＴ音を受信（手順Ｓ５０３）しても何も処理を行わなない。無線通信電話機１０は、前記発呼状態とした後に、無線電話番号の登録開始を意味するコードをＰＢ音で通知する（手順Ｓ５０４）。コードとしては例えば＃１１１等予め定められたコードを使用できる。有線交換機４０は加入者側からのＰＢ音をＰＢ受信機能で番号コードに変換する（手順Ｓ７０３）。また、加入者側へのＤＴ音を停止する（手順Ｓ５０５、Ｓ７０４）。
【００２５】
更に、加入者側から受信した番号コードが電話番号であるかを判断する（手順Ｓ７０５）。例えば、番号コードの先頭数桁が、０９０、０３で始まれば、電話番号と判断できる。電話番号で無い場合には番号コードを識別する（手順Ｓ７０６）。例えば、番号コードが番号登録開始通知を示す予め定められた番号かにより識別する。番号登録開始通知と識別した場合には無線電話番号の受信処理に移行し電話番号が加入者側から送信されるのを待つ。無線通信電話機１０は番号登録開始通知に続いて、無線通信電話機の電話番号をＰＢ音で通知し（手順Ｓ５０６）、無線電話番号の登録終了を意味するコードをＰＢ音で通知する（手順Ｓ５０７）。なお、無線通信電話装置の電話番号は予め適宜のメモリに記憶しておくことができる。有線交換機４０は、加入者側からのＰＢ音をＰＢ受信機能で番号変換して電話番号を受信する（手順Ｓ７０７）。その後、有線交換機４０は、加入者側からの番号登録終了通知コードを受信する（手順Ｓ７０８）と、加入者側へ受信した電話番号をＰＢ音で返信する（手順Ｓ５０８、Ｓ７０９）。無線通信電話機１０は、電話番号がＰＢ音で返信されると電話機が備えるＰＢ受信機能で番号変換し、電話番号を受信する（手順Ｓ５０８）。その後、受信した電話番号が自分の電話番号と一致するかを判断し、正しい場合には有線交換機４０への電話番号登録が正常に行われた事を意味するコードをＰＢ音で通知し（手順Ｓ５０９）、オンフック状態とする（手順Ｓ５１０）。また、有線交換機４０は、適宜のタイミング（例えば、手順Ｓ５０９の後）にタイマ５２をスタートさせる。受信した電話番号が自分の電話番号と一致しない場合には、番号登録開始通知から上述と同様の処理を繰り返す。
【００２６】
有線交換機４０は、加入者側からのＰＢ音をＰＢ受信機能で番号変換し番号通知正常通知を受信し（手順Ｓ５０９、Ｓ７１０）、更に、アナログ回線がオンフック状態に遷移した事を検出（手順５１０、Ｓ７１１）すると、有線交換機４０内に備える無線通信電話機収容テーブル５０に、無線電話１０が接続されている収容位置のテーブル内容の無線電話収容フラグを収容無しから収容有り（例えば、フラグを０から１）に変更し、さらに、受信した無線電話番号を収容位置に対応して登録する（手順Ｓ７１２）。その後、有線交換機４０は、サービス制御装置１１０へ、変換テーブル追加要求を送出する（手順Ｓ５１１、Ｓ７１３）。変換テーブル追加要求には有線交換機４０の交換機装置番号に該当する信号局コードと、収容位置と、無線電話番号との情報が含まれる。信号局コードは、予め有線交換機４０の適宜のメモリに記憶されることができる。なお、信号局コードと収容位置を送出する代わりに、有線電話番号を送出してもよいし、収容位置の回線に割り当てられた有線電話番号を特定するための適宜の情報を送出してもよい。サービス制御装置１１０は、有線交換機から変換テーブル追加要求を受信する（手順Ｓ８００）と、サービス制御装置１１０内に備える電話番号変換テーブル１２０に、受信した無線電話番号が登録済みかどうかを検索する（手順Ｓ８０１）。登録済みであるかどうかを判断し（手順Ｓ８０２）、未登録の場合は変換テーブルに受信した無線電話番号を新たに登録し、更に受信した信号局コードと、収容位置とから、その信号局コードの収容位置に該当する有線電話番号に変換して登録する（手順Ｓ８０３）。例えば、サービス制御装置１１０は、信号局コードと、収容位置とに対応して、有線電話番号が予め記憶されており、これを参照することで有線電話番号に変換することができる。登録済みの場合は、電話番号変換テーブル１２０の登録済み該当データを削除して（手順Ｓ８０５）、上述の登録手順Ｓ８０３と同様の方法で受信したデータから無線電話番号と有線電話番号とを登録する（手順Ｓ８０６）。登録終了後、有線交換機４０に電話番号変換テーブル追加完了を通知して（手順Ｓ５１２、Ｓ８０４）、サービス制御装置１１０は、無線電話番号登録処理を終了させる。有線交換機４０はサービス制御装置１１０からの電話番号変換テーブル追加完了を受信して（手順Ｓ５１２、Ｓ７１４）、無線通信電話機登録処理を終了させる。
【００２７】
ここで、無線通信電話機１０と有線交換機４０の間で送受信される無線通信電話機１０の電話番号は、セキュリティのために暗号化して変換されたコード番号で送受信することができる。また、無線通信電話機１０から有線交換機４０へ送信される無線通信電話機１０の電話番号と、有線交換機４０から無線通信電話機１０へ送信される無線通信電話機１０の電話番号とは、更にセキュリティ向上のために暗号方式を変えても良い。
【００２８】
図６は、無線通信電話機１０が接続ケーブル３０から脱着された後に、無線通信電話機１０を有線交換機４０と、サービス制御装置とから登録削除するシーケンスを示した図である。図９は、無線通信電話機１０が接続ケーブル３０から脱着されたかを有線交換機４０が状態監視する制御フローと、脱着された場合の有線交換機４０から登録削除する制御フローとを示した図である。図１０は、無線通信電話機１０が接続ケーブル３０から脱着された後の、サービス制御装置から登録削除する際のサービス制御装置１１０の制御フローを示した図である。次に、図６、７、９、１０を参照して無線通信電話機１０を有線交換機４０と、サービス制御装置１１０とから登録を削除する手順を説明する。無線通信電話機１０は図６のケーブル接続状態を通知する制御を実行するプログラムを格納しているものとする。
【００２９】
まず、無線通信電話機１０は、接続ケーブル３０に接続し、有線電話機４０への登録が完了している状態で、定期的に発呼（オフフック）状態となり（図６：手順Ｓ６００）、接続ケーブルに接続状態である事を意味するコードをＰＢ音で通知し（手順Ｓ６０１）、オンフック状態にする（手順Ｓ６０２）。一方、有線交換機４０は、発呼を検出する（図７：手順Ｓ７００）と加入者側へＤＴ音を送出し（手順Ｓ７０１）、加入者側からＰＢ音を受信可能とするためにＰＢ受信機能を起動する（手順Ｓ７０３）。有線交換機４０は加入者側からのＰＢ音をＰＢ受信機能で番号変換する（手順Ｓ７０３）と、加入者側へのＤＴ音を停止する（手順Ｓ７０４）。更に、加入者側から受信した番号コードが電話番号であるかを判断し（手順Ｓ７０５）、電話番号で無い場合には番号コードを識別する（手順Ｓ７０６）。接続状態通知と識別した場合には無線通信電話機接続確認用に備えられたタイマをクリアしてリセットする（手順Ｓ７１６）。その後、オンフック状態に遷移した事を検出して（手順Ｓ７１７）、収容済みの無線通信電話機１０が接続ケーブル３０に接続された状態であるかを確認する処理を終了させる。
【００３０】
また、有線交換機４０は、定期的に無線通信電話機接続確認用に備られたタイマの値を読み（図９：手順Ｓ９００）、収容した無線通信電話機が、接続ケーブルから脱着されたかどうかを判断する基準として予め決められたタイマ値と比較してオーバーしているかどうかを判断する（手順Ｓ９０１）。タイマオーバーが発生していない場合には何もせず監視を続ける。タイマオーバーが発生している場合には、有線交換機４０内に備えた無線通信電話機収容テーブル５０に対しタイマオーバーの発生した収容位置の無線通信電話機収容フラグを収容有り（例えば、１）から収容無し（例えば、０）に変更する（手順Ｓ９０２）。その後、サービス制御装置１１０へ、変換テーブル削除要求を送出する（手順Ｓ６０３、Ｓ９０３）。変換テーブル削除要求には無線電話番号の情報が含まれる。
【００３１】
一方、サービス制御装置１１０は、有線交換機１０から変換テーブル削除要求を受信する（手順Ｓ６０３、Ｓ１０００）と、電話番号変換テーブル１２０から受信した無線電話番号のデータを削除する（手順Ｓ１００１）。その後、有線交換機４０へ変換テーブル削除完了通知を送信して（手順Ｓ１００２、Ｓ６０４）、無線通信電話機登録削除処理を終了させる。有線交換機４０は、サービス制御装置１１０からの変換テーブル削除完了通知を受信し（手順Ｓ９０４）、無線通信電話機登録削除処理を終了させる。
【００３２】
図１１は、図７における発呼処理起動（手順Ｓ７１５）後に、有線交換機４０における発呼処理の制御フローを示した図である。
図１１と図１と図７を参照して、図１の有線交換機４０に収容された無線通信電話機１０から有線交換機４１に収容された有線電話機２１に発信する場合の手順を説明する。
ここで無線通信電話機１０は、有線電話回線との接続機能を備えた無線通信電話機であり、上述の無線通信電話機登録手順により有線交換機４０と、サービス制御装置１１０とに登録済みであるものとする。無線通信電話機１０は、例えば、無線通信電話機１０が備える電話帳機能を用いて有線電話機２１に発信する。または、直接有線電話機２１の電話番号をキー入力により発信する。一方、有線交換機４０は、無線電話機１０からの発呼を検出する（手順Ｓ７００）と、無線電話機１０へＤＴ音を送出し（図７：手順Ｓ７０１）、有線電話機１０からＰＢ音を受信可能とするためにＰＢ受信機能を起動する（手順Ｓ７０３）。有線電話機１０からのＰＢ音を受信すると、有線交換機４０はＰＢ受信機能でＰＢ音を番号変換し（手順Ｓ７０３）、加入者側へのＤＴ音を停止する（手順Ｓ７０４）。更に、加入者側から受信した番号コードが電話番号であるかを判断し（手順Ｓ７０５）、電話番号である場合は図１１の発呼手順を起動する（手順Ｓ７１５）。
【００３３】
発呼手順が起動されると、有線交換機４０は発呼元の収容位置情報を元に有線交換機４０内に備える無線通信電話機収容テーブルを検索し（図１１：手順Ｓ１１００）、該当収容位置のテーブルの無線電話収容フラグを参照し、該フラグに基づいて発呼元が無線通信電話機であるかどうかを判断する（手順Ｓ１１０１）。例えば、無線通信電話機１０を収容した収容位置からの発呼であるため、無線電話収容フラグは収容有りとなっている。有線交換機４０は無線通信電話機からの発呼であると判断し、発信元電話番号を無線電話収容テーブルの該当収容位置のテーブルの無線電話番号に置き換える（手順Ｓ１１０２）。この後、有線交換機４０は、無線通信電話機１０から受信した接続先電話番号コードを調査し（手順Ｓ１１０３）、有線電話番号であるか無線電話番号であるかを判断する（手順Ｓ１１０４）。例えば、電話番号コードの先頭が０９０、０８０等の無線電話番号用であるかにより判断する。本有線電話機２１への発信では有線電話番号と判断できる。ここまでの手順で発信元電話番号は無線通信電話機１０の収容された収容位置に割り当てられた有線電話番号に置き換えられ、接続先電話番号は有線電話番号であるため、この後は有線電話機から有線電話機への所定の発呼手順を実施する（手順Ｓ１１０５）事で通話が可能となる。また、番号通知サービスにおいて、無線電話番号を発信元として通知することも可能である。
【００３４】
次に図１１と図１を参照して、有線交換機４０に収容された無線通信電話機１０から、同様に本実施の形態の有線交換機４１に収容された無線通信電話機１１に発信する場合の手順を説明する。
無線通信電話機１０の発呼から、有線交換機４０における接続先電話番号が有線電話番号であるか無線電話番号であるかの判断（手順Ｓ１１０４）までは、上述の無線通信電話機１０から有線電話機２１への発信と同様の手順となるため説明は省略する。本無線通信電話機１１への発信では接続先電話番号を判断した結果が有線電話番号では無いことから、有線交換機４０は、サービス制御装置１１０に変換テーブル検索要求を通知する（手順Ｓ１１０６）。変換テーブル検索要求には接続先の無線電話番号の情報が含まれる。サービス制御装置１１０では受信した無線電話番号から電話番号変換テーブルを検索し、データが登録されているかを調査し、電話番号の登録有無を示す情報と、登録有りの場合には無線電話番号に対応する有線電話番号情報を有線交換機４０に返信する。有線交換機４０は、サービス制御装置１１０から検索結果を受信し（手順Ｓ１１０７）、電話番号登録有無を判断する（手順Ｓ１１０８）。本無線通信電話機１１は有線交換機４１に収容され、サービス制御装置１１０に登録済みであるため、受信した検索結果は登録有りとなる。登録有りとなることから、有線交換機４０は、接続先電話番号をサービス制御装置１１０より受信した有線電話番号に置き換える（手順Ｓ１１０９）。ここまでの手順で、発信元電話番号は無線通信電話機１０の収容された収容位置に割り当てられた有線電話番号に置き換えられ、接続先電話番号は無線通信電話機１１の収容された収容位置に割り当てられた有線電話番号に置き換えられているため、この後は有線電話機から有線電話機への所定の発呼手順を実施する（手順Ｓ１１１０）事で通話が可能となる。
【００３５】
次に図１１と図１を参照して、有線交換機４０に収容された無線通信電話機１０から、無線交換機６０に収容された無線通信電話機１２に発信する場合の手順を説明する。
無線通信電話機１０の発呼から、有線交換機４０における接続先無線電話番号がサービス制御装置１１０に登録済みかどうかの判断（手順Ｓ１１０８）までは上述の無線通信電話機１０から無線通信電話機１１への発信と同様の手順となるため説明は省略する。
【００３６】
無線通信電話機１２は有線交換機に収容されていないため、サービス制御装置１１０からの電話番号変換テーブル検索結果は登録無しの情報が返信され、有線交換機４０は接続先電話番号が有線交換機に収容されていないと判断する。ここまでの手順で、発信元電話番号は無線通信電話機１０の収容された収容位置に割り当てられた有線電話番号に置き換えられ、接続先電話番号は無線電話番号であるため、この後は所定の有線電話機から無線通信電話機への発呼手順を実施する（手順Ｓ１１１１）事で通話が可能となる。
【００３７】
図１２は、無線交換機６０における発呼処理の制御フローを示した図である。
図１２と図１を参照して、無線交換機６０に収容された無線通信電話機１２から、有線交換機４０に収容された無線通信電話機１０に発信する場合の手順を説明する。
【００３８】
無線通信電話機１２は、無線通信電話機１２が備える電話帳機能を用いて無線通信電話機１０に発信する。または、直接無線通信電話機１０の電話番号をキー入力により発信する。一方、無線交換機６０は、無線通信電話機１２からの発呼検出（図１２：手順Ｓ１２００）と、接続先電話番号受信（手順Ｓ１２０１）とを行い、受信した接続先電話番号コードが、有線電話番号であるか無線電話番号であるかを判断する（手順Ｓ１２０２、Ｓ１２０３）。本無線通信電話機１０への発信では接続先電話番号が無線通信電話機であり、無線通信電話機から無線通信電話機への所定の発呼手順を実施する（手順Ｓ１２０５）。しかしながら無線通信電話機１０は有線電話機と接続され無線機能が停止されているため、所定の発呼手順では通話する事は出来ない。無線交換機６０は所定の発呼手順で呼接続出来なかったかどうかを判断し（手順Ｓ１２０６）、呼接続出来ない場合は、サービス制御装置１１０に変換テーブル検索要求を通知する（手順Ｓ１２０７）。変換テーブル検索要求には接続先の無線電話番号の情報が含まれる。サービス制御装置１１０では受信した無線電話番号から電話番号変換テーブルを検索しデータが登録されているかを調査し、電話番号の登録有無の情報と登録有りの場合には無線電話番号に対応する有線電話番号情報を無線交換機６０に返信する。無線交換機６０は、サービス制御装置１１０から検索結果を受信し（手順Ｓ１２０８）、電話番号登録有無を判断する（手順Ｓ１２０９）。本無線通信電話機１０は有線交換機４０に収容され、サービス制御装置１１０に登録済みであることから、受信した検索結果は登録有りとなる。登録有りにより、無線交換機６０は、接続先電話番号をサービス制御装置１１０より受信した有線電話番号に置き換える（手順Ｓ１２１０）。ここまでの手順で、発信元電話番号は無線電話番号であり、接続先電話番号は無線通信電話機１０の収容された収容位置に割り当てられた有線電話番号に置き換えられているため、この後は無線通信電話機から有線電話機への所定の発呼手順を実施する（手順Ｓ１２１１）事で通話が可能となる。
【００３９】
図１３は、通話の終了の際の無線通信電話機から発信した場合にサービス制御装置へ通話履歴情報を通知する処理の制御フローを示す図である。図１３を参照して、有線交換機４０に収容された無線通信電話機１０から発信した場合の無線通信電話機１０の通話情報をサービス制御装置へ通知する手順を説明する。
【００４０】
有線交換機４０は、通話が終了した際、図１３に示す処理を起動し、自交換機からの発信かどうかを判断する（手順Ｓ１３００）。自交換機からの発信でない場合は（Ｓ１３００：ＮＯ）、処理を終了する。一方、自交換機からの発信の場合は、発信元電話機の収容位置から無線通信電話機収容テーブルを検索し（手順Ｓ１３０１）、該当収容位置のテーブルの無線通信電話機収容フラグにより無線通信電話機からの発信かどうかを判断する（手順Ｓ１３０２）。例えば、フラグが１（収容有）であれば、無線通信電話機からの発信と判断できる。無線通信電話機からの発信の場合は、サービス制御装置へ通話履歴通知を送信する（手順Ｓ１３０３）。通話履歴情報には通話の際に蓄積していた接続先電話番号と、通話開始日時と、通話終了日時と、発信元電話機の収容位置の無線電話番号の情報が含まれる。一方、サービス制御装置１１０は、通話履歴通知を受信すると無線通信電話機通話履歴データベースに受信した情報を追加して保存する。なお、通話開始時刻と通話終了時刻を通知・記憶する代わりに、通話時間、その他の通話時間、通話料金を特定するための情報を通知・記憶するようにしてもよい。その後、有線交換機４０へ通話履歴受信完了通知を送信する。有線交換機４０は、サービス制御装置１１０からの通話履歴受信完了通知を受信し（手順Ｓ１３０４）処理を終了する。また、ステップＳ１３０２で、無線電話機からの発信でない場合（Ｓ１３０２：ＮＯ）、有線網における所定の課金手順を実施する（Ｓ１３０５）。
【００４１】
本手順により、有線交換機４０、４１に収容された無線通信電話機１０、１１から発信した場合の通話履歴がサービス制御装置１１０に蓄積される。蓄積された通話履歴を元に有線電話サービス事業者と無線電話サービス事業者間の取り決めにより有線交換機に接続した無線通信電話機に対して課金を行う事が出来る。
【産業上の利用可能性】
【００４２】
本発明は、例えば、無線通信電話機を有線電話網の有線電話回線に接続することで、有線電話網における通話接続サービスの提供する産業に利用可能である。また、無線通信電話機と有線電話網交換機との間の制御機能や、複数電話網間における呼接続制御機能を有する高機能電話接続サービス制御装置に関する産業に利用可能である。
【図面の簡単な説明】
【００４３】
【図１】本発明の実施の一形態における高機能電話網構成を示す図である。
【図２】本発明による無線通信電話機収容テーブルの一構成例を示す図である。
【図３】本発明による電話番号変換テーブルの一構成例を示す図である。
【図４】本発明による無線通信電話機通話履歴データベースの一構成例を示す図である。
【図５】本発明による無線通信電話機を接続ケーブルに接続した際の有線交換機と、サービス制御装置とに無線通信電話機を登録する手順の一形態を示すシーケンスである。
【図６】本発明による無線通信電話機が接続ケーブルから脱着された後に、有線交換機と、サービス制御装置とから無線通信電話機を登録削除する手順の一形態を示すシーケンスである。
【図７】本発明による有線交換機での無線通信電話機登録手順の一形態を示すフローチャートである。
【図８】本発明によるサービス制御装置での無線通信電話機登録手順の一形態を示すフローチャートである。
【図９】本発明による有線交換機での無線通信電話機削除手順の一形態を示すフローチャートである。
【図１０】本発明によるサービス制御装置での無線通信電話機削除手順の一形態を示すフローチャートである。
【図１１】本発明による有線交換機での発呼手順の一形態を示すフローチャートである。
【図１２】本発明による無線交換機での発呼手順の一形態を示すフローチャートである。
【図１３】本発明による有線交換機に収容した無線通信電話機から発信した場合に、通話履歴を通知する手順の一形態を示すフローチャートである。
【符号の説明】
【００４４】
１０  無線通信電話機
２０  有線電話機
３０  接続ケーブル
４０  有線交換機
５０  無線通信電話機収容テーブル
６０  無線交換機
７０  基地局
８０  有線電話網
９０  無線電話網
１００  共通線信号網
１１０  サービス制御装置
１２０  電話番号変換テーブル
１３０  位置情報データベース
１４０  無線通信電話機通話履歴テーブル
１５０  ゲートウェイ交換機
【図１】
2007028044.tif 000003
【図２】
2007028044.tif 000004
【図３】
2007028044.tif 000005
【図４】
2007028044.tif 000006
【図５】
2007028044.tif 000007
【図６】
2007028044.tif 000008
【図７】
2007028044.tif 000009
【図８】
2007028044.tif 000010
【図９】
2007028044.tif 000011
【図１０】
2007028044.tif 000012
【図１１】
2007028044.tif 000013
【図１２】
2007028044.tif 000014
【図１３】
2007028044.tif 000015